(57)【要約】【課題】  歯冠と歯冠との間の歯間部や歯冠の付け根部分である歯頸部などの、歯ブラシの毛束が到達しにくく磨きにくい部位を確実に磨けるようにすることにより、磨き残しのない高い刷掃感を得ることができる歯ブラシを実現する。【解決手段】  歯ブラシのブラシ部１０を、ヘッド６０の長さ方向において８列の毛束１１ａ〜ｈにより構成し、ヘッド６０の幅方向において３列の毛束により構成する。ヘッド６０の長さ方向における８列の毛束１１ａ〜ｈの上端部の側面形状が、全体として三角形状となるように、ヘッド６０の先端側から第５列目の毛束１１ｅの上端部の側面形状を、その中央部を頂点とする三角形状に形成し、他の各毛束１１ａ〜ｄ，ｆ〜ｈの上面を、それぞれ全面を傾斜させて形成する。【選択図】        図１
2006239045.tif 000002
【特許請求の範囲】
【請求項１】
ヘッド（６０）の長さ方向および幅方向のそれぞれにおける複数の毛束列（１１ａ〜ｈ，１１ｅ〜−３）からなるブラシ部（１０）を有する歯ブラシにおいて、
前記ヘッド（６０）の長さ方向における前記複数の毛束列（１１ａ〜ｈ）の上端部の側面形状を、前記毛束列（１１ａ〜ｈ）のうちの中央部の毛束（１１ｅ）の上端部を頂点部分とする三角形状に形成した歯ブラシ。
【請求項２】
前記中央部の毛束（１１ｅ）の上端部の、前記ヘッド（６０）の長さ方向における側面形状が三角形状である請求項１記載の歯ブラシ。
【請求項３】
前記ヘッド（６０）の先端側から第１列目の毛束（１１ａ）前縁の刷毛の長さ（Ｌ１）が４mm、前記中央部の毛束（１１ｅ）中央の刷毛の長さ（Ｌ２）が９mm、最終列の毛束（１１ｈ）後端の刷毛の長さ（Ｌ３）が５mmであり、前記ヘッド（６０）の長さ方向におけるブラシ部（１０）の幅（Ｗ）が２０mmである請求項１記載の歯ブラシ。
【発明の詳細な説明】
【技術分野】
【０００１】
本発明は歯ブラシに関する。具体的には、歯冠と歯冠との間の歯間部や歯冠の付け根部分である歯頸部などの、歯ブラシの毛束が到達しにくく磨きにくい部位を確実に磨けるようにすることにより、磨き残しのない高い刷掃感を得ることができる歯ブラシを提供せんとするものである。
【背景技術】
【０００２】
従来の歯ブラシの構成例を図６に示し説明する。ここで、図６は、この従来例の要部である歯ブラシのヘッドに固着された多数の毛束からなるブラシ部の構成を示しており、説明を簡単にするため、歯ブラシを握持するためのハンドル、およびハンドルからヘッドに連なるネックの図示は、省略している。
【０００３】
図６（ａ）（側面図）において、５０は、歯ブラシのヘッド６０の表面部に固着された、歯冠の表面に当接してこれを磨く多数の毛束からなるブラシ部である。このブラシ部５０は、ヘッド６０の長さ方向において１０列の毛束５１ａ〜ｊにより構成されている。また、図６（ａ）のＡ−Ａ線に沿う断面図である図６（ｂ）に示すように、ヘッド６０の幅方向において４列の毛束５１ｆ〜−４により構成されている。
【０００４】
図６（ａ）において、ヘッド６０の長さ方向の１０列の毛束５１ａ〜ｊの各上端は、ヘッド６０の先端側から第６列目の毛束５１ｆが水平であり、他の各毛束５１ａ〜ｅ，ｇ〜ｊが、それぞれ所定の角度に傾斜している。すなわち、１０列の毛束５１ａ〜ｊの上端は、全体として円弧状をなすように形成されている。
【０００５】
同様に、ヘッド６０の幅方向の４列の毛束５１ｆ〜−４も、図６（ｂ）に示されているように、各毛束５１ｆ〜−４の上端がそれぞれ傾斜しており、４列の毛束５１ｆ〜−４は、全体として円弧状をなすように形成されている。
【０００６】
このように、この従来例では、ヘッド６０の表面部に固着される毛束５１ａ〜ｊ，５１ｆ〜−４の上端が、ヘッド６０の長さ方向および幅方向のそれぞれにおいて、全体として円弧状を形成するようにしている。
【特許文献１】実開平２−１４１２１３号公報
【発明の開示】
【発明が解決しようとする課題】
【０００７】
しかしながら、図６に示した従来例によると、つぎのような解決すべき課題がある。すなわち、ヘッド６０の長さ方向の１０列の毛束５１ａ〜ｊの上端が、全体として円弧状に形成されているので、図７（ａ）に示すように、歯垢が付着し易い部位である、隣接する２つの歯冠１００ａ，１００ｂにより形成される歯間三角部Ｔcc内に、ブラシ部５０の毛束５１ｅ，５１ｆを充分に進入させることができない。その結果、ブラシ部５０を上下方向に移動させる縦磨きの場合にあっても、毛束５１ｅ，５１ｆの先端は、歯間三角部Ｔcc奥部の各歯冠１００ａ，１００ｂの表面までは到達しない。このことは、前歯であると奥歯であるとを問わない。
【０００８】
また、図７（ｂ）に示すように、奥歯１１０上面の噛み合わせ部分である小窩裂溝１１１に対しても、ブラシ部５０の毛束５１ｅ，５１ｆを充分に進入させることができず、毛束５１ｅ、５１ｆの先端は、小窩裂溝１１１の底部までは到達しない。
【０００９】
さらに、例えば、図８（ａ）に示すように、前歯１０１の裏面である舌側面１０２を磨く場合、歯冠の付け根部分である歯頸部１０３と歯肉２００とにより形成される三角部Ｔcm内に、ブラシ部５０の毛束５１ｅ，５１ｆを充分に進入させることは不可能であり、毛束５１ｅ，５１ｆの先端は、この三角部Ｔcm奥部の歯冠の表面までは到達しない。また、舌側面１０２自体についても、図８（ｂ）に示すように、毛束５１ｅ，５１ｆの先端は、舌側面１０２の凹部の奥部までは到達せず、前歯１０１の歯冠表面には当接しない。
【００１０】
このように、図６に示した従来例には、ブラシ部５０の毛束５１ａ〜ｊ，５１ｆ〜−４が到達しにくい部位を確実には磨くことができない結果、磨き残しが生じてしまうという解決すべき課題があった。
【課題を解決するための手段】
【００１１】
そこで、上記課題に照らし、本発明はなされたものである。そのために、本発明では、つぎのような手段を用いるようにした。すなわち、歯ブラシのヘッドの長さ方向における毛束列上端部の側面形状を、全体として中央部の毛束の上端部を頂点部分とする三角形状に形成するようにした。
【発明の効果】
【００１２】
本発明によるならば、歯冠と歯冠とにより形成される歯間三角部、歯頸部と歯肉とにより形成される三角部、あるいは奥歯の小窩裂溝など、ブラシ部の毛束が到達しにくく疾患が発生し易い部位であっても、確実に磨くことができるので、磨き残しのない高い刷掃感を得ることが可能となる。したがって、本発明が歯磨きにおいてもたらす効果は、極めて大きい。
【発明を実施するための最良の形態】
【００１３】
本発明では、上述のように、ブラシ部の毛束が到達しにくい部位であっても、これに毛束の先端が確実に到達するように、毛束列により構成されるブラシ部上端部の側面形状を、全体として毛束列における中央部の毛束の上端部を頂点とする三角形状となるように形成した。以下、実施例により詳しく説明する。
【実施例１】
【００１４】
図１（ａ）は、本発明の実施例の要部の構成を示す側面図であり、説明の簡単のため、図６と同様にハンドルおよびネックの図示を省略するとともに、図６における構成要素と同一の構成要素については、同じ符号を付している。
【００１５】
図１（ａ）において、本発明による歯ブラシでは、ブラシ部１０は、ヘッド６０の長さ方向において８列の毛束１１ａ〜ｈにより構成されている。また、図１（ｂ）（図１（ａ）のＡ−Ａ線に沿う断面図）に示すように、ヘッド６０の幅方向において３列の毛束１１ｅ〜−３により構成されている。
【００１６】
図１（ａ）において、８列の毛束１１ａ〜ｈの上端部の側面形状は、全体として三角形状となるように形成されている。すなわち、ヘッド６０の先端側から第５列目の毛束１１ｅの上端部の側面形状は、その中央部を頂点とする三角形状に形成され、他の各毛束１１ａ〜ｄ，ｆ〜ｈの上面は、それぞれ全面が傾斜して形成されている。したがって、ブラシ部１０全体の側面形状は、五角形状に形成されている。
【００１７】
ここで、ヘッド６０の先端側から第１列目の毛束１１ａ前縁の刷毛の長さＬ１は４mm、第５列目の毛束１１ｅ中央の刷毛の長さＬ２は９mm、第８列目の毛束１１ｈ後縁の刷毛の長さＬ３は５mmである。また、ヘッド６０の長さ方向におけるブラシ部１０の幅Ｗは、２０mmである。
【００１８】
そこで、以上のように構成されたブラシ部１０により歯を磨いた場合の様子について、図２ないし図５を用いて説明する。
【００１９】
図２（ａ）は、歯間三角部を縦磨きした場合の様子を示している。図示するように、上端部の側面形状が三角形状に形成された、ブラシ部１０における第５列目の毛束１１ｅの上端部が、歯間三角部Ｔcc（図７（ａ）参照）内に充分に進入し、頂点部分が歯間三角部Ｔccの奥部に到達して、その部位の各歯冠１００ａ，１００ｂの表面に当接する。また、図２（ｂ）に示すように、奥歯１１０の小窩裂溝１１１の底部にも、毛束１１ｅの頂点部分が到達して、その部位の歯冠表面に当接する。
【００２０】
他方、前歯１０１の舌側面１０２を磨く場合は、図３（ａ）に示すように、歯頸部１０３と歯肉２００により形成される三角部Ｔcm（図８（ａ）参照）内に、毛束１１ｅが充分に進入し、その先端が三角部Ｔcmの奥部まで到達して、その部位の歯冠の表面に当接する。また、図３（ｂ）に示すように、舌側面１０２自体に対しても、その凹部の奥部まで毛束１１ｅの先端が到達して、その部位の歯冠の表面に当接する。
【００２１】
このように、本発明による歯ブラシによれば、ブラシ部の毛束が到達しにくく磨きにくい部位であっても、その部位にブラシ部の毛束が到達して確実に磨くことができる。しかし、本発明による歯ブラシによりもたらされる効果は、これにとどまらない。
【００２２】
すなわち、本発明による歯ブラシは、ブラシ部１０上端部の側面形状が三角形状に形成されていることから、ブラシ部１０を水平方向に移動させる横磨きの場合は、図４（ａ）に示すように、ブラシ部１０を一方向（図面上で右側）に移動させたとき、中央部の毛束１１ｅの頂点部分が歯間三角部Ｔccに達するまで、まず、各毛束１１ｆ〜ｈの上面と中央部の毛束１１ｅの上面半分が、歯冠１００ｂの表面に当接して、これを磨く。ついで、中央部の毛束１１ｅの頂点部分が歯間三角部Ｔccに達すると、図４（ｂ）に示すように、中央部の毛束１１ｅの他の上面半分と残りの各毛束１１ａ〜ｄの上面が、再び歯冠１００ｂの表面に当接して、これを磨く。その結果、ブラシ部１０を一方向に一度移動させる毎に、歯冠１００ｂの表面は二度磨かれることになり、歯磨きの効果をより高めることが可能となる。
【００２３】
また、ブラシ部１０が一方向に移動する場合に最前部となる毛束（図４（ａ）上では、右端の毛束１１ｈ）は、その進行する側の端部の上端部は、側面形状が三角形状に形成されているので、この部分が最初に歯間三角部Ｔcc内に進入し、その後、上端部が三角形状の中央部の毛束１１ｅの頂点部分が、さらに歯間三角部Ｔcc内に進入する。すなわち、歯間三角部Ｔcc内には、毛束１１ｈ，１１ｅの三角形状の部分が二度進入することになり、歯間三角部Ｔccを刷掃する効果を一層高めることが可能となる。
【００２４】
さらに、縦磨きをする場合において、ブラシ部１０を下方向に移動させたときは、図５（ａ）に示すように、中央部の毛束１１ｅの三角形状の部分が、下顎側の歯冠１０１ｂの上端部に当接した際に、各毛束１１ａ〜ｅの下方向へ移動が一旦停止するので、各毛束１１ａ〜ｅの先端が、上顎側の歯冠１０１ａの表面に確実に摺接して、これを磨く。
【００２５】
同様に、ブラシ部１０を上方向に移動させたときは、図５（ｂ）に示すように、中央部の毛束１１ｅの三角形状の部分が、上顎側の歯冠１０１ａの下端部に当接した際に、各毛束１１ｅ〜ｈの上方向への移動が一旦停止して、各毛束１１ｅ〜ｈの先端が、下顎側の歯冠１０１ｂの表面に確実に摺接して、これを磨くことになる。
【００２６】
以上においては、ブラシ部１０の毛束列が、ヘッド６０の長さ方向において８列、幅方向において３列の場合を例に挙げて説明した。しかし、本発明は、これに限定されるものではない。その他にも、例えば、図６に示した従来例と同様、ヘッド６０の長さ方向において１０列、幅方向において４列とする場合にも、本発明は適用され得るものである。
【００２７】
また、ヘッド６０の先端側から第１列目の毛束１１ａ前縁の刷毛の長さＬ１を４mm、第５列目の毛束１１ｅ中央の刷毛の長さＬ２を９mm、第８列目の毛束１１ｈ後端の刷毛の長さＬ３を５mmとし、ヘッド６０の長さ方向におけるブラシ部１０の幅を２０mmとした場合について述べたが、本発明は、これに限られるものではない。
【００２８】
さらに、ヘッド６０の先端側から第５列目の毛束１１ｅの上端部を、側面形状が三角形状となるように形成した場合について説明したが、本発明は、これに限定されるものではない。例えば、第４列目の毛束１１ｅの上端部の側面形状を三角形状に形成した場合にも、本発明は適用することができるものである。
【図面の簡単な説明】
【００２９】
【図１】本発明の実施例の構成を示す構成図である。
【図２】図１に示した歯ブラシを使用した場合の様子を説明するための説明図である。
【図３】図２とともに、図１に示した歯ブラシを使用した場合の様子を説明するための説明図である。
【図４】図３とともに、図１に示した歯ブラシを使用した場合の様子を説明するための説明図である。
【図５】図４とともに、図１に示した歯ブラシを使用した場合の様子を説明するための説明図である。
【図６】従来例の構成を示す構成図である。
【図７】図６に示した従来例を使用した場合の様子を説明するための説明図である。
【図８】図７とともに、図６に示した従来例を使用した場合の様子を説明するための説明図である。
【符号の説明】
【００３０】
１０  ブラシ部
１１Ａ〜１１ｈ，１１ｅ−２，１１ｅ−３  毛束
５０  ブラシ部
５１ａ〜５１ｊ，５１ｆ−２〜５１ｆ−４  毛束
６０  ヘッド
１００ａ，１００ｂ，１０１ａ，１０１ｂ  歯冠
１０２  舌側面
１０３  歯頸部
１１０  奥歯
１１１  小窩裂溝
２００  歯肉
Ｔcc  歯間三角部
Ｔcm  三角部
【図１】
2006239045.tif 000003
【図２】
2006239045.tif 000004
【図３】
2006239045.tif 000005
【図４】
2006239045.tif 000006
【図５】
2006239045.tif 000007
【図６】
2006239045.tif 000008
【図７】
2006239045.tif 000009
【図８】
2006239045.tif 000010